(57)【要約】  放射線検出器は、ＴＦＴ基板と、ＴＦＴ基板の画素領域に設けられ、放射線から変換された光に応じて発生した電荷を蓄積する複数の画素が形成された画素アレイと、放射線を光に変換する変換層と、光透過性の粘着層と、変換層で変換された光を反射する反射層と、少なくとも反射層の端部からＴＦＴ基板の表面に至る領域を覆う接着層と、がこの順に設けられた部分を有する、反射層端部の剥離を抑制することができる放射線検出器及び放射線画像撮影装置を提供する。
2018124134.tif 000002
【特許請求の範囲】
【請求項１】
基板と、
前記基板の画層領域に設けられ、放射線から変換された光に応じて発生した電荷を蓄積する複数の画素が形成された画素アレイと、
前記放射線を光に変換する変換層と、
光透過性の粘着層と、
前記変換層で変換された光を反射する反射層と、
少なくとも前記反射層の端部から前記基板の表面に至る領域を覆う接着層と、
がこの順に設けられた部分を有する放射線検出器。
【請求項２】
基板と、
前記基板に剥離層を介して設けられ、放射線から変換された光に応じて発生した電荷を蓄積する複数の画素が形成された画素アレイと、
前記放射線を光に変換する変換層と、
光透過性の粘着層と、
前記変換層で変換された光を反射する反射層と、
少なくとも前記反射層の端部から前記基板の表面に至る領域を覆う接着層と、
がこの順に設けられた部分を有する放射線検出器。
【請求項３】
前記変換層は、前記基板の前記画素アレイが設けられた領域を覆っている、
請求項１または請求項２に記載の放射線検出器。
【請求項４】
バリア層と、
放射線から変換された光に応じて発生した電荷を蓄積する複数の画素が形成された画素アレイと、
前記放射線を光に変換する変換層と、
光透過性の粘着層と、
前記変換層で変換された光を反射する反射層と、
少なくとも前記反射層の端部から前記バリア層の表面に至る領域を覆う接着層と、
がこの順に設けられた部分を有する放射線検出器。
【請求項５】
前記変換層は、前記バリア層の前記画素アレイが設けられた領域を覆っている、
請求項４に記載の放射線検出器。
【請求項６】
前記粘着層は、前記変換層の中央部を含む領域を覆う、
請求項１から請求項５のいずれか１項に記載の放射線検出器。
【請求項７】
前記粘着層は、前記画素アレイを内包する領域において前記変換層を覆う、
請求項１から請求項５のいずれか１項に記載の放射線検出器。
【請求項８】
前記変換層の周縁部は、外側に向かうほど厚さが薄くなる傾斜を有し、
前記反射層の外周部が、前記変換層の周縁部に位置する、
請求項１から請求項７のいずれか１項に記載の放射線検出器。
【請求項９】
前記変換層の周縁部は、２つの異なる高さを有し、
前記反射層の外周部が、前記変換層の周縁部に位置する、
請求項１から請求項７のいずれか１項に記載の放射線検出器。
【請求項１０】
前記接着層は、前記反射層を覆う、
請求項１から請求項９のいずれか１項に記載の放射線検出器。
【請求項１１】
前記接着層は、前記変換層を覆う、
請求項１から請求項９のいずれか１項に記載の放射線検出器。
【請求項１２】
前記粘着層は、前記反射層と前記変換層との間に設けられている、
請求項１から請求項１１のいずれか１項に記載の放射線検出器。
【請求項１３】
前記反射層の材料は、白ＰＥＴである、
請求項１から請求項１２のいずれか１項に記載の放射線検出器。
【請求項１４】
前記反射層の厚さは、１０μｍ以上、４０μｍ以下である、
請求項１３に記載の放射線検出器。
【請求項１５】
前記反射層は、前記画素アレイに対応する領域に設けられている、
請求項１から請求項１４のいずれか１項に記載の放射線検出器。
【請求項１６】
前記粘着層の厚さは、２μｍ以上、７μｍ以下である、
請求項１から請求項１５のいずれか１項に記載の放射線検出器。
【請求項１７】
前記変換層は、ＣｓＩの柱状結晶を含む、
請求項１から請求項１６のいずれか１項に記載の放射線検出器。
【請求項１８】
前記変換層は、前記画素アレイに塗布されたＧＯＳが分散された樹脂層である、
請求項１から請求項１６のいずれか１項に記載の放射線検出器。
【請求項１９】
前記変換層、前記変換層に積層された前記粘着層、及び前記粘着層に積層された前記反射層を含む積層体と、前記接着層とを覆う保護層をさらに備えた、
請求項１から請求項１８のいずれか１項に記載の放射線検出器。
【請求項２０】
前記変換層の周縁部の少なくとも一部の傾斜角度は、９０°以上、１６６°以下である、
請求項１から請求項１９のいずれか１項に記載の放射線検出器。
【請求項２１】
請求項１から請求項２０のいずれか１項に記載の放射線検出器と、
前記複数の画素に蓄積された電荷を読み出すための制御信号を出力する制御部と、
前記制御信号に応じて前記複数の画素から電荷を読み出させる駆動部と、
前記複数の画素から読み出された電荷に応じた電気信号が入力され、入力された電気信号に応じた画像データを生成して前記制御部に出力する信号処理部と、
を備えた放射線画像撮影装置。
【発明の詳細な説明】
【技術分野】
【０００１】
本開示は、放射線検出器及び放射線画像撮影装置に関する。
【背景技術】
【０００２】
従来、医療診断を目的とした放射線撮影を行う放射線画像撮影装置が知られている。このような放射線画像撮影装置には、被写体を透過した放射線を検出し放射線画像を生成するための放射線検出器が用いられている。【０００３】
放射線検出器としては、放射線から変換された光に応じて発生した電荷を蓄積する複数の画素が形成された画素アレイと、放射線を光に変換する変換層と、変換層で変換された光を反射する反射層と、変換層全体及び反射層全体を覆う保護層と、を備えたものがある（特開２０１６−１２８７６４号公報及び特開２０１４−１８５８５７号公報参照）。
【発明の概要】
【発明が解決しようとする課題】
【０００４】
上記従来の技術の放射線検出器では、保護層が、変換層を湿気等の水分から保護する機能と、基板及び変換層に対して反射層を固定する機能とを有する。しかしながら、従来の技術では、保護層により基板及び変換層に対して反射層を固定することができない懸念があった。特に、反射層の端部の固定が十分ではなく、剥離しやすい場合があった。【０００５】
本開示は、反射層端部の剥離を抑制することができる放射線検出器及び放射線画像撮影装置を提供する。
【課題を解決するための手段】
【０００６】
本開示の第１の態様の放射線検出器は、基板と、基板の画層領域に設けられ、放射線から変換された光に応じて発生した電荷を蓄積する複数の画素が形成された画素アレイと、放射線を光に変換する変換層と、光透過性の粘着層と、変換層で変換された光を反射する反射層と、少なくとも反射層の端部から基板の表面に至る領域を覆う接着層と、がこの順に積層された部分を有する。【０００７】
本開示の第２の態様の放射線検出器は、基板と、基板に剥離層を介して設けられ、放射線から変換された光に応じて発生した電荷を蓄積する複数の画素が形成された画素アレイと放射線を光に変換する変換層と、光透過性の粘着層と、変換層で変換された光を反射する反射層と、少なくとも反射層の端部から基板の表面に至る領域を覆う接着層と、がこの順に設けられた部分を有する。【０００８】
また、本開示の第３の態様の放射線検出器は、第１の態様または第２の態様の放射線検出器において、変換層は、基板の画素アレイが設けられた領域を覆っている。【０００９】
本開示の第４の態様の放射線検出器は、バリア層と、放射線から変換された光に応じて発生した電荷を蓄積する複数の画素が形成された画素アレイと、放射線を光に変換する変換層と、光透過性の粘着層と、変換層で変換された光を反射する反射層と、少なくとも反射層の端部からバリア層の表面に至る領域を覆う接着層と、がこの順に設けられた部分を有する。【００１０】
また、本開示の第５の態様の放射線検出器は、第４の態様の放射線検出器において、変換層は、バリア層の画素アレイが設けられた領域を覆っている。【００１１】
また、本開示の第６の態様の放射線検出器は、第１の態様から第５の態様の何れか１態様の放射線検出器において、粘着層は、変換層の中央部を含む領域に設けられている。【００１２】
また、本開示の第７の態様の放射線検出器は、第１の態様から第５の態様の何れか１態様の放射線検出器において、粘着層は、画素アレイを内包する領域において変換層を覆っている。【００１３】
また、本開示の第８の態様の放射線検出器は、第１の態様から第７の態様の何れか１態様の放射線検出器において、変換層の周縁部は、外側に向かうほど厚さが薄くなる傾斜を有し、反射層の外周が、変換層の周縁部に位置する。【００１４】
また、本開示の第９の態様の放射線検出器は、第１の態様から第７の態様の何れか１態様の放射線検出器において、変換層の周縁部は、２つの異なる高さを有し、反射層の外周部が、変換層の周縁部に位置する。【００１５】
また、本開示の第１０の態様の放射線検出器は、第１の態様から第９の態様の何れか１態様の放射線検出器において、接着層は、反射層を覆っている。【００１６】
また、本開示の第１１の態様の放射線検出器は、第１の態様から第９の態様の何れか１態様の放射線検出器において、接着層は、変換層を覆っている。【００１７】
また、本開示の第１２の態様の放射線検出器は、第１の態様から第１１の態様の何れか１態様の放射線検出器において、粘着層は、反射層と変換層との間に設けられている。【００１８】
また、本開示の第１３の態様の放射線検出器は、第１の態様から第１２の態様の何れか１態様の放射線検出器において、の反射層の材料は、白ＰＥＴである。【００１９】
また、本開示の第１４の態様の放射線検出器は、第１３の態様の放射線検出器において、反射層の厚さは、１０μｍ以上、４０μｍ以下である。【００２０】
また、本開示の第１５の態様の放射線検出器は、第１の態様から第１４の態様の何れか１態様の放射線検出器において、反射層は、画素アレイに対応する領域に設けられている。【００２１】
また、本開示の第１６の態様の放射線検出器は、第１の態様から第１５の態様の何れか１態様の放射線検出器において、粘着層の厚さは、２μｍ以上、７μｍ以下である。【００２２】
また、本開示の第１７の態様の放射線検出器は、第１の態様から第１６の態様の何れか１態様の放射線検出器において、変換層は、ＣｓＩの柱状結晶を含む。【００２３】
また、本開示の第１８の態様の放射線検出器は、第１の態様から第１６の態様の何れか１態様の放射線検出器において、変換層は、画素アレイに塗布されたＧＯＳが分散された樹脂層である。【００２４】
また、本開示の第１９の態様の放射線検出器は、第１の態様から第１８の態様の何れか１態様の放射線検出器において、変換層、変換層に積層された粘着層、及び粘着層に積層された反射層を含む積層体と、接着層とを覆う保護層をさらに備えた。【００２５】
また、本開示の第２０の態様の放射線検出器は、第１の態様から第１９の態様の何れか１態様の放射線検出器において、変換層の周縁部の少なくとも一部の傾斜角度は、９０°以上、１６６°以下である。【００２６】
本開示の第２１の態様の放射線画像撮影装置は、本開示の放射線検出器と、複数の画素に蓄積された電荷を読み出すための制御信号を出力する制御部と、制御信号に応じて複数の画素から電荷を読み出させる駆動部と、複数の画素から読み出された電荷に応じた電気信号が入力され、入力された電気信号に応じた画像データを生成して制御部に出力する信号処理部と、を備える。
【発明の効果】
【００２７】
本開示によれば、反射層端部の剥離を抑制することができる。
【図面の簡単な説明】
【００２８】
【図１】第１実施形態の放射線検出器におけるＴＦＴ基板の構成の一例を示す構成図である。
【図２】第１実施形態の放射線検出器の一例を、変換層が設けられた側からみた平面図である。
【図３】図２に示した放射線検出器のＡ−Ａ線断面図である。
【図４】本実施形態の変換層における周縁部と中央部とを説明するための断面図である。
【図５】第１実施形態の放射線検出器における変換層、粘着層、反射層、接着層、及び保護層の積層状態の一例を示した断面図である。
【図６】第１実施形態の放射線検出器の製造方法の一例を説明する図である。
【図７】第２実施形態の放射線検出器の一例を、変換層が設けられた側からみた平面図である。
【図８】図７に示した放射線検出器のＡ−Ａ線断面図である。
【図９】第３実施形態の放射線検出器の一例を、変換層が設けられた側からみた平面図である。
【図１０】図９に示した放射線検出器のＡ−Ａ線断面図である。
【図１１】第４実施形態の放射線検出器の一例を、変換層が設けられた側からみた平面図である。
【図１２】図１１に示した放射線検出器のＡ−Ａ線断面図である。
【図１３】第５実施形態の放射線検出器の一例を、変換層が設けられた側からみた平面図である。
【図１４】図１３に示した放射線検出器のＡ−Ａ線断面図である。
【図１５】第６実施形態の放射線検出器の一例の断面図である。
【図１６】第６実施形態の放射線検出器の他の例の断面図である。
【図１７】第６実施形態の放射線検出器における、画素アレイを挟んで対向する２つの変換層を有する構成の一例の断面図である。
【図１８】第６実施形態の放射線検出器における、画素アレイを挟んで対向する２つの変換層を有する構成の他の例の断面図である。
【図１９】画素領域の大きさの変形例として、画素領域の大きさが小さい放射線検出器の一例の断面を表す断面図である。
【図２０】画素領域の大きさの変形例として、画素領域の大きさが大きい放射線検出器の一例の断面を表す断面図である。
【図２１】反射層が設けられた領域と粘着層が設けられた領域についての変形例として、粘着層が設けられた領域が反射層が設けられた領域よりも大きい放射線検出器の一例の断面を表す断面図である。
【図２２】反射層が設けられた領域と粘着層が設けられた領域についての変形例として、反射層が設けられた領域が粘着層が設けられた領域よりも大きい放射線検出器の一例の断面を表す断面図である。
【図２３】実施形態の放射線検出器を適用した放射線画像撮影装置の一例の断面を表す断面図である。
【図２４】実施形態の放射線検出器を適用した放射線画像撮影装置の他の例の断面を表す断面図である。
【発明を実施するための形態】
【００２９】
以下、図面を参照して本発明の実施形態を詳細に説明する。なお、本実施形態は本発明を限定するものではない。
【００３０】
［第１実施形態］
【００３１】
本実施形態の放射線検出器は、被写体を透過した放射線を検出して被写体の放射線画像を表す画像情報を出力する機能を有する。本実施形態の放射線検出器は、ＴＦＴ（Thin Film Transistor）基板と、放射線を光に変換する変換層と、を備えている（図３、放射線検出器１０のＴＦＴ基板１２及び変換層１４参照）。
【００３２】
まず、図１を参照して本実施形態の放射線検出器におけるＴＦＴ基板１２の構成の一例について説明する。なお、本実施形態のＴＦＴ基板１２は、基材１１の画素領域３５に、複数の画素３０を含む画素アレイ３１が形成された基板である。従って、以下では、「画素領域３５」との表現を、「画素アレイ３１」と同義として用いる。本実施形態のＴＦＴ基板１２が、開示の技術の基板の一例である。
【００３３】
基材１１は、例えば、無アルカリガラス等のガラス基板や、ポリイミド等のプラスチックを含む樹脂シート等である。樹脂シートの具体例としては、ＸＥＮＯＭＡＸ（登録商標）が挙げられる。また、基材１１は可撓性を有していてもよく、この場合、基材１１としては、上記樹脂シートや比較的薄いガラス基板等が好ましい。可撓性を考慮すると、例えば、基材１１が樹脂シートの場合、厚みが５μｍ〜１２５μｍのものが好ましい。また例えば、基材１１がガラス基板の場合、一般に、一辺が４３ｃｍ以下のサイズでは、厚さが０．３ｍｍ以下ならば可撓性を有しているため、厚さが０．３ｍｍ以下のものが好ましい。
【００３４】
画素３０の各々は、センサ部３４及びスイッチング素子３２を含む。センサ部３４は、変換層が変換した光に応じて電荷を発生して蓄積する。スイッチング素子３２は、センサ部３４にて蓄積された電荷を読み出す。本実施形態では、一例として、薄膜トランジスタ（ＴＦＴ）をスイッチング素子３２として用いている。そのため、以下では、スイッチング素子３２を「ＴＦＴ３２」という。
【００３５】
複数の画素３０は、ＴＦＴ基板１２の画素領域３５に、一方向（図１の横方向に対応する走査配線方向、以下「行方向」ともいう）及び行方向に対する交差方向（図１の縦方向に対応する信号配線方向、以下「列方向」ともいう）に二次元状に配置されている。図１では、画素３０の配列を簡略化して示しているが、例えば、画素３０は行方向及び列方向に１０２４個×１０２４個配置される。
【００３６】
また、放射線検出器１０には、ＴＦＴ３２のスイッチング状態（オン及びオフ）を制御するための複数の走査配線３８と、画素３０の列毎に備えられた、センサ部３４に蓄積された電荷が読み出される複数の信号配線３６と、が互いに交差して設けられている。複数の走査配線３８の各々は、それぞれＴＦＴ基板１２に設けられたパッド（図示省略）を介して、放射線検出器１０の外部の駆動部（図２３及び図２４、駆動部１０３参照）に接続されることにより、駆動部から出力される、ＴＦＴ３２のスイッチング状態を制御する制御信号が流れる。また、複数の信号配線３６の各々が、それぞれＴＦＴ基板１２に設けられたパッド（図示省略）を介して、放射線検出器１０の外部の信号処理部（図２３及び図２４、信号処理部１０４参照）に接続されることにより、各画素３０から読み出された電荷が、信号処理部に出力される。
【００３７】
また、各画素３０のセンサ部３４には、各画素３０にバイアス電圧を印加するために、共通配線３９が信号配線３６の配線方向に設けられている。共通配線３９が、ＴＦＴ基板１２に設けられたパッド（図示省略）を介して、放射線検出器１０の外部のバイアス電源に接続されることにより、バイアス電源から各画素３０にバイアス電圧が印加される。
【００３８】
本実施形態の放射線検出器１０では、ＴＦＴ基板１２上には、変換層１４が形成されている。図２は、本実施形態の放射線検出器１０を変換層１４が形成された側からみた平面図である。また、図３は、図２における放射線検出器１０のＡ−Ａ線断面図である。なお、以下では、放射線検出器１０の構造において「上」という場合、ＴＦＴ基板１２側を基準とした位置関係において上であることを表している。
【００３９】
図２及び図３に示すように、本実施形態の変換層１４は、ＴＦＴ基板１２の画素領域３５を含む一部の領域上に設けられている。このように、本実施形態の変換層１４は、ＴＦＴ基板１２の外周部の領域上には設けられていない。
【００４０】
本実施形態では、変換層１４の一例としてＣｓＩ（ヨウ化セシウム）を含むシンチレータを用いている。このようなシンチレータとしては、例えば、Ｘ線照射時の発光スペクトルが４００ｎｍ〜７００ｎｍであるＣｓＩ：Ｔｌ（タリウムが添加されたヨウ化セシウム）やＣｓＩ：Ｎａ（ナトリウムが添加されたヨウ化セシウム）を含むことが好ましい。なお、ＣｓＩ：Ｔｌの可視光域における発光ピーク波長は５６５ｎｍである。
【００４１】
本実施形態の放射線検出器１０では、図５に示した一例のように、変換層１４は、ＴＦＴ基板１２上に直接、真空蒸着法、スパッタリング法、及びＣＶＤ（Chemical Vapor Deposition）法等の気相堆積法によって短冊状の柱状結晶１４Ａとして形成される。変換層１４の形成方法としては、例えば、変換層１４としてＣｓＩ：Ｔｌを用いた場合、真空度０．０１Ｐａ〜１０Ｐａの環境下、ＣｓＩ：Ｔｌを抵抗加熱式のるつぼ等の加熱手段により加熱して気化させ、ＴＦＴ基板１２の温度を室温（２０℃）〜３００℃としてＣｓＩ：ＴｌをＴＦＴ基板１２上に堆積させる真空蒸着法が挙げられる。変換層１４の厚さとしては、１００μｍ〜８００μｍが好ましい。
【００４２】
なお、本実施形態では、変換層１４の柱状結晶１４Ａの、成長方向の基点側（本実施形態ではＴＦＴ基板１２側）の端部を「根元」といい、成長方向における根元と反対側の尖った端部を「先端」という。
【００４３】
また、本実施形態の変換層１４は、上述のように気相堆積法により形成しているため、図３に示すように、変換層１４の外周部は、全体的に見ると外側に向かうほど厚さが薄くなる傾向を有しており、そのため、外側に向かうほど厚さが薄くなる、傾斜角度θの傾斜を有している。本実施形態では、製造誤差及び測定誤差を無視すると厚さが略一定とみなせる、変換層１４の中央から予め定められた範囲内における変換層１４の厚さの平均値を基準とし、一例として図４に示したように、基準の厚さに対する相対的な膜厚（以下、「相対膜厚」という）が９０％以下の外周の領域を「周縁部（周縁部１４Ｃ）」という。また、図４に示すように、周縁部１４Ｃに囲まれた変換層１４の領域を「中央部（中央部１４Ｂ）」という。換言すると、「中央部」とは、変換層１４の厚さが略一定の部分を少なくとも含み、相対膜厚が９０％を超える部分も含む領域のことをいう。本実施形態では、具体例として、変換層１４の外周から５ｍｍ以内の領域内であり、かつ相対膜厚が９０％以下の外周の領域を「周縁部（周縁部１４Ｃ）」という。そのため、図３及び図４等に示すように、周縁部１４Ｃでは、変換層１４の厚さが外周に向けて徐々に薄くなる傾向にある。換言すると、周縁部１４Ｃに位置は、２つの異なる高さを有している。
【００４４】
また、図４に示すように、変換層１４の端部の傾斜角度θは、急峻に、すなわちより小さくなる傾向がある。一般的に、放射線検出器１０は、筐体（図２３及び図２４筐体１２０参照）に収納された状態で用いられる。この場合、筐体１２０の側面から、放射線検出器１０の端部までの距離が短い、いわゆる狭額縁である場合が多い。そのため、上記のように、変換層１４の端部の傾斜角度θは急峻になっており、具体例としては、９０°以上、１６６°以下となっている。なお、本実施形態の傾斜角度θが、本開示の傾斜角度の一例である。
【００４５】
なお、傾斜角度θの測定方法は特に限定されないが、本実施形態では、一例として、傾斜角度θの測定方法は、矩形状の変換層１４の１辺における、等間隔な４箇所の位置において、変換層１４の端部の一部をＴＦＴ基板１２から剥離して各々サンプルとした。４つのサンプルを研磨して断面出しを行った後、光学顕微鏡を用いて観察することにより測定を行った。４つのサンプルの測定値の平均値を、サンプルを作成した変換層１４の辺における傾斜角度θとした。
【００４６】
さらに、本実施形態の放射線検出器１０は、図２〜図５に示すように、粘着層１６、反射層１８、接着層２０、及び保護層２２を備える。
【００４７】
粘着層１６は、一例として図２及び図３に示すように、変換層１４の周縁部１４Ｃの一部及び中央部１４Ｂの全体を含む領域上に設けられている。言い替えれば、本実施形態の粘着層１６は、変換層１４と反射層１８との間に設けられている。なお、粘着層１６は、変換層１４が画素アレイ３１を覆っている領域を覆う位置に少なくとも設けられており、換言すると粘着層１６は、変換層１４が画素アレイ３１を内包する領域を覆う位置に設けられている。また、図５に示すように、本実施形態の放射線検出器１０では、変換層１４の先端が、粘着層１６に侵入している。
【００４８】
本実施形態の粘着層１６は、光透過性の層であり、粘着層１６の材料としては、アクリル系粘着剤、ホットメルト系粘着剤、及びシリコーン系接着剤等が挙げられる。アクリル系粘着剤としては、例えば、ウレタンアクリレート、アクリル樹脂アクリレート、及びエポキシアクリレート等が挙げられる。ホットメルト系粘着剤としては、例えば、ＥＶＡ（エチレン・酢酸ビニル共重合樹脂）、ＥＡＡ（エチレンとアクリル酸の共重合樹脂）、ＥＥＡ（エチレン−エチルアクリレート共重合樹脂）、及びＥＭＭＡ（エチレン−メタクリル酸メチル共重合体）等の熱可塑性プラスチックが挙げられる。
【００４９】
粘着層１６の厚さが厚くなるほど、すなわち、変換層１４と反射層１８との間隔が広がるほど、変換層１４により変換された光が粘着層１６内でぼけてしまうため、結果として、放射線検出器１０により得られる放射線画像がぼやけた画像となる。そのため、粘着層１６の厚さが厚くなるほど、ＭＴＦ（Modulation Transfer Function）及びＤＱＥ（Detective Quantum Efficiency）が低下し、かつその低下度合も大きくなる。
【００５０】
一方、粘着層１６を設けない場合も含み、粘着層１６の厚さを薄くしすぎた場合、変換層１４と反射層１８との間に、微小な空気層（図示省略）が形成される場合がある。この場合、変換層１４から反射層１８に向かった光が、空気層と変換層１４との間、及び空気層と反射層１８との間で多重反射が生じる。多重反射によって光が減衰してしまうと、放射線検出器１０の感度が低下する。
【００５１】
本発明者らの検討の結果、粘着層１６の厚さが７μｍを越えると、ＤＱＥの低下度合がより大きくなり、粘着層１６を設けない場合（厚さが０μｍの場合）よりも低下してしまうことがわかった。また、粘着層１６の厚さが２μｍ未満の場合、放射線検出器１０の感度が低下することがわかった、
【００５２】
そこで、本実施形態では、粘着層１６の厚さを２μｍ以上、７μｍ以下としている。なお、材料によっても異なるが粘着層１６の屈折率は、概ね１．５程度である。
【００５３】
なお、粘着層１６は、反射層１８を変換層１４に固定する機能を有するが、粘着層１６の厚さが２μｍ以上であれば、反射層１８が変換層１４に対して面内方向（厚さ方向と交差する方向）においてずれてしまうことを抑制する十分な効果が得られる。
【００５４】
一方、反射層１８は、一例として図２及び図３に示すように、粘着層１６上に設けられており、粘着層１６そのものの上面全体を覆っている。また、反射層１８は、変換層１４の中央部１４Ｂを少なくとも覆っており、反射層１８の外周部は、変換層１４の周縁部１４Ｃに至っている。すなわち、反射層１８の外周部は、変換層１４の、外側に向かうほど厚さが薄くなる周縁部１４Ｃに位置している。換言すると、変換層１４の周縁部１４Ｃは、２つの異なる高さを有しており、反射層１８の外周部は、変換層１４の周縁部１４Ｃに位置している。反射層１８は、変換層１４で変換された光を反射する機能を有する。
【００５５】
反射層１８の材料としては、有機系の材料を用いたものが好ましく、例えば、白ＰＥＴ（Polyethylene Terephthalate）、ＴｉＯ２、Ａｌ２Ｏ３、発泡白ＰＥＴ、ポリエステル系高反射シート、及び鏡面反射アルミ等の少なくとも１つを材料として用いたものが好ましい。特に、反射率の観点から、白ＰＥＴを材料として用いたものが好ましい。
【００５６】
なお白ＰＥＴとは、ＰＥＴに、ＴｉＯ２や硫酸バリウム等の白色顔料を添加したものである。また、ポリエステル系高反射シートとは、薄いポリエステルのシートを複数重ねた多層構造を有するシート（フィルム）である。また、発泡白ＰＥＴとは、表面が多孔質になっている白ＰＥＴである。
【００５７】
本実施形態では、反射層１８の厚さは、１０μｍ以上、４０μｍ以下としている。反射層１８の厚さが厚くなると、反射層１８の外周部の上面と変換層１４の上面との間の段差が大きくなる。本実施形態では、接着層２０及び保護層２２のシート（フィルム）を反射層１８までが形成された状態のＴＦＴ基板１２に貼り合わせることにより放射線検出器１０を製造している。上記段差が大きいと、反射層１８の上に接着層２０及び保護層２２を貼り合わせた場合に、この段差部分において、接着層２０及び保護層２２の少なくとも一方が浮き上がってしまう場合がある。
【００５８】
また、反射層１８の厚さが厚くなると、いわばコシがある状態になるため、変換層１４の周縁部１４Ｃの傾斜に沿って曲がり難くなる場合があり、加工し難くなる。
【００５９】
これらの観点から検討した結果、本実施形態の放射線検出器１０では、反射層１８の材料として白ＰＥＴを用いた場合、上述のように反射層１８の厚さを４０μｍ以下としている。
【００６０】
一方、反射層１８の厚さが薄くなるほど、反射率が低下する。反射率が低下すると、放射線検出器１０により得られる放射線画像の画質も低下する傾向がある。そのため、放射線検出器１０により得られる放射線画像の画質の観点から、所望の反射率（例えば、８０％）を考慮して反射層１８の厚さの下限を定めることが好ましい。本実施形態の放射線検出器１０では、反射層１８の材料として白ＰＥＴを用いた場合、上述のように反射層１８の厚さを１０μｍ以上としている。
【００６１】
一方、接着層２０は、一例として図２及び図３に示すように、ＴＦＴ基板１２における変換層１４の外周部近傍の領域上から反射層１８端部を覆う領域まで設けられている。言い替えれば、本実施形態の放射線検出器１０では、粘着層１６及び反射層１８が設けられた変換層１４全体を覆う接着層２０が、ＴＦＴ基板１２の表面の一部に直接固定（接着）されている。接着層２０は、反射層１８を、ＴＦＴ基板１２及び変換層１４に対して固定する機能を有する。また、接着層２０は、保護層２２を固定する機能を有する。接着層２０の材料としては、例えば、粘着層１６と同様の材料が挙げられる。なお、本実施形態では、接着層２０が有する接着力は、粘着層１６が有する接着力よりも強い。
【００６２】
さらに、保護層２２は、一例として図２及び図３に示すように、接着層２０上に設けられている。本実施形態の保護層２２は、積層体１９と、接着層２０とを覆っている。積層体１９は、変換層１４、変換層１４に積層された粘着層１６、及び粘着層１６に積層された反射層１８を含む。本実施形態の保護層２２は、変換層１４を湿気等の水分から保護する機能を有する。また、本実施形態の保護層２２は、接着層２０と共に、反射層１８を、ＴＦＴ基板１２及び変換層１４に対して固定する機能を有する。保護層２２の材料としては、例えば、有機膜が挙げられる。有機膜としては、例えば、ＰＥＴ、ＰＰＳ（PolyPhenylene Sulfide）、ＯＰＰ（Oriented PolyPropylene）、ＰＥＮ（PolyEthylene Naphthalate）、ＰＩ（PolyImide）等が挙げられる。また、保護層２２としては、ポリエチレンテレフタレート等の絶縁性のシート（フィルム）に、アルミ箔を接着させる等してアルミを積層したアルペット（登録商標）のシートを用いてもよい。
【００６３】
図２〜図５に示した本実施形態の放射線検出器１０の製造方法の一例としては、以下の方法が挙げられる。
【００６４】
予め、放射線検出器１０に合わせた所望の大きさとした粘着層１６のシート（フィルム）と、所望の大きさとした反射層１８のシートとを貼り合わせたものを準備しておく。
【００６５】
一方、ＴＦＴ基板１２上には、直接、上述したように、気相堆積法によって変換層１４を形成しておく。
【００６６】
また一方、所望の大きさとした保護層２２のシートの片面の全体に、接着層２０を設ける。なお、接着層２０の設け方は、接着層２０の材料に応じた方法とすればよく、例えば、所望の大きさとした接着層２０のシートを保護層２２の片面に貼り合わせてもよいし、保護層２２の片面の全体に接着層２０となる液体状の材料を塗布してもよい。
【００６７】
その後、反射層１８と粘着層１６とが積層された状態のシートに、接着層２０が設けられた保護層２２のシートを貼り合わせ、粘着層１６、反射層１８、接着層２０、及び保護層２２がこの順に積層された積層フィルムとする。
【００６８】
さらにその後、上記積層フィルムを変換層１４が形成されたＴＦＴ基板１２に、変換層１４の全体を覆う状態に貼り合わせる。
【００６９】
なお、上記の貼り合わせを行う場合は、大気圧下または、減圧下（真空下）で行うが、貼り合わせた間に空気等が入り込むのを抑制するために、減圧下で行うことが好ましい。
【００７０】
また、反射層１８を設ける方法としては、上述のようにシート状の反射層１８を貼り合わせる方法が好ましい。異なる方法としては例えば、材料となるバインダーを変換層１４上に塗布することにより反射層１８を形成する方法が挙げられる。しかしながら、バインダーを塗布する方法では、変換層１４の周縁部１４Ｃ上に塗布したバインダーが周縁部１４Ｃの傾斜に沿って流れてしまうため、変換層１４の中央部１４Ｂにしか反射層１８が形成できない場合がある。この場合、反射層１８を設ける領域の大きさを変換層１４の中央部１４Ｂに合わせて小さくすると、放射線検出器１０の感度が低下する。一方、反射層１８を設ける領域の大きさを維持するために、変換層１４全体を大きくすると放射線検出器１０が大型化してしまう。そのため、本実施形態のように放射線検出器１０の変換層１４が傾斜を有している場合、シート状の反射層１８を貼り合わせることにより、反射層１８を設けることが好ましい。
【００７１】
このように図２〜図５に示した本実施形態の放射線検出器１０では、接着層２０及び保護層２２が、反射層１８の全体（上面全面及び側面）を覆っている。また接着層２０及び保護層２２は、ＴＦＴ基板１２上に直接固定されている。
【００７２】
これにより、本実施形態の放射線検出器１０によれば、反射層１８の剥離、特に反射層１８の端部の剥離が抑制される。なお、本実施形態において反射層１８の端部とは、反射層１８の外周近傍の予め定められた範囲内の領域のことをいう。
【００７３】
また、上記のように、変換層１４の少なくとも一部の端部において、傾斜角度が９０°以上、１６６°以下の急峻である場合、傾斜角度θがなだらかな場合と比べて、変換層１４の傾斜部分において、反射層１８が剥がれやすくなる。
【００７４】
これに対して本実施形態の放射線検出器１０では、上記構成により、反射層１８の剥離、特に変換層１４の傾斜部における反射層１８の剥離が抑制される。
【００７５】
なお、図２〜図５に示した本実施形態の放射線検出器１０は、基材１１の厚さが比較的厚い、ガラス基板等の場合は、ＴＦＴ基板１２上に、上述したように変換層１４、粘着層１６、反射層１８、接着層２０、及び保護層２２を順次形成すればよい。一方、基材１１が、比較的薄い基板、例えば可撓性を有する基板の場合、図６に示した一例のように、基材１１に比べて厚さの厚いガラス基板等の支持体５０に、剥離層５２を介して、例えば、ラミネート法等によりＴＦＴ基板１２が形成される。さらに、上記と同様に、変換層１４、粘着層１６、反射層１８、接着層２０、及び保護層２２を順次形成した後、剥離層５２により、ＴＦＴ基板１２を支持体５０から剥離する。剥離方法は特に限定されず、例えば、ラミネート法では、ＴＦＴ基板１２（基材１１）の四辺のいずれかを剥離の起点とし、起点となる辺から対向する辺に向けて徐々にＴＦＴ基板１２を支持体５０から引きはがすことにより、メカニカル剥離を行えばよい。また、例えば、レーザ剥離（laser Lift Off）法では、支持体５０の裏面（ＴＦＴ基板１２が設けられている面と反対側の面）からレーザを照射し、支持体５０を透過してレーザにより剥離層５２を分解させることにより、支持体５０からＴＦＴ基板１２を剥離すればよい。
【００７６】
［第２実施形態］
【００７７】
次に、第２実施形態について説明する。なお、本実施形態の放射線検出器１０は、粘着層１６及び反射層１８を設ける領域が第１実施形態と異なるため、粘着層１６及び反射層１８を設ける領域について図面を参照して説明する。
【００７８】
図７は、本実施形態の放射線検出器１０を変換層１４が形成された側からみた平面図である。また、図８は、図７における放射線検出器１０のＡ−Ａ線断面図である。
【００７９】
図７及び図８に示すように、本実施形態の放射線検出器１０では、粘着層１６及び反射層１８が、中央部及び周縁部を含む変換層１４上の領域全体に設けられている。言い替えれば、本実施形態の粘着層１６及び反射層１８は、変換層１４の上面全体を覆っている。一方、本実施形態の粘着層１６及び反射層１８は、ＴＦＴ基板１２の上に直接設けられてはいない。
【００８０】
なお、本実施形態の放射線検出器１０は、例えば、第１実施形態において上述した放射線検出器１０の製造方法と同様の製造方法により製造することができる。
【００８１】
このように図７及び図８に示した本実施形態の放射線検出器１０においても、第１実施形態の放射線検出器１０と同様に、接着層２０及び保護層２２が、反射層１８の全体（上面全面及び側面）を覆っている。また、接着層２０及び保護層２２は、ＴＦＴ基板１２上に直接固定されている。
【００８２】
これにより、本実施形態の放射線検出器１０によれば、反射層１８の剥離、特に反射層１８の端部の剥離が抑制される。
【００８３】
また、本実施形態の放射線検出器１０によれば、第１実施形態の放射線検出器１０に比べて、反射層１８が大きく、変換層１４の上面の全体を覆っているため、変換層１４からの光が反射しやすくなる。
【００８４】
［第３実施形態］
【００８５】
次に、第３実施形態について説明する。なお、本実施形態の放射線検出器１０は、粘着層１６及び反射層１８を設ける領域が上記各実施形態と異なるため、粘着層１６及び反射層１８を設ける領域について図面を参照して説明する。
【００８６】
図９は、本実施形態の放射線検出器１０を変換層１４が形成された側からみた平面図である。また、図１０は、図９における放射線検出器１０のＡ−Ａ線断面図である。
【００８７】
図９及び図１０に示すように、第２実施形態の放射線検出器１０と同様に、本実施形態の放射線検出器１０では、粘着層１６及び反射層１８が、中央部及び周縁部を含む変換層１４上の領域全体に設けられている。言い替えれば、本実施形態の粘着層１６及び反射層１８は、変換層１４の上面全体を覆っている。また、第２実施形態の放射線検出器１０とは異なり、本実施形態の放射線検出器１０では、粘着層１６及び反射層１８が設けられた領域が、変換層１４の外周近傍のＴＦＴ基板１２の上にまで至っている。言い替えれば、本実施形態の放射線検出器１０では、変換層１４の外周近傍のＴＦＴ基板１２上には、粘着層１６及び反射層１８が直接設けられている。
【００８８】
なお、本実施形態の放射線検出器１０は、例えば、第１実施形態において上述した放射線検出器１０の製造方法と同様の製造方法により製造することができる。
【００８９】
このように図９及び図１０に示した本実施形態の放射線検出器１０においても、第１実施形態の放射線検出器１０と同様に、接着層２０及び保護層２２が、反射層１８の全体（上面全面及び側面）を覆っている。また、接着層２０及び保護層２２は、ＴＦＴ基板１２上に直接固定されている。
【００９０】
これにより、本実施形態の放射線検出器１０によれば、反射層１８の剥離、特に反射層１８の端部の剥離が抑制される。
【００９１】
また、本実施形態の放射線検出器１０では、ＴＦＴ基板１２の上に粘着層１６及び反射層１８が至っているため、その分、ＴＦＴ基板１２が大型化する場合があるが、より安定的に反射層１８を固定することができる。
【００９２】
さらに、本実施形態の放射線検出器１０では、第１実施形態の放射線検出器１０に比べて、反射層１８が大きく、変換層１４の上面の全体を覆っているため、変換層１４からの光が反射しやすくなる。
【００９３】
［第４実施形態］
【００９４】
次に、第４実施形態について説明する。なお、本実施形態の放射線検出器１０は、接着層２０を設ける領域が第１実施形態と異なるため、接着層２０を設ける領域について図面を参照して説明する。
【００９５】
図１１は、本実施形態の放射線検出器１０を変換層１４が形成された側からみた平面図である。また、図１２は、図１１における放射線検出器１０のＡ−Ａ線断面図である。
【００９６】
図１１及び図１２に示すように、本実施形態の放射線検出器１０では、接着層２０が、変換層１４の周縁部近傍のＴＦＴ基板１２から反射層１８（粘着層１６）の外周部に至る領域上に設けられている。すなわち、本実施形態の放射線検出器１０では、接着層２０は反射層１８及び変換層１４の上面の全体を覆っていない。
【００９７】
図１１及び図１２に示した本実施形態の放射線検出器１０の製造方法の一例としては、以下の方法が挙げられる。
【００９８】
予め、放射線検出器１０に合わせた所望の大きさとした粘着層１６のシート（フィルム）と、所望の大きさとした反射層１８のシートとを貼り合わせたものを準備しておく。
【００９９】
一方、ＴＦＴ基板１２上には、直接、上述したように、気相堆積法によって変換層１４を形成しておく。
【０１００】
その後、予め準備しておいた粘着層１６と反射層１８とを貼り合わせたものを、変換層１４が形成されたＴＦＴ基板１２に貼り合わせる。
【０１０１】
また一方、所望の大きさとした保護層２２のシートの周縁部に、接着層２０を設ける。接着層２０の設け方は、第１実施形態において上述したのと同様に、接着層２０の材料に応じた方法とすればよく、例えば、塗布や貼り合わせによって設ければよい。
【０１０２】
その後、接着層２０が設けられた保護層２２を、変換層１４、粘着層１６、及び反射層１８が設けられたＴＦＴ基板１２に、接着層２０により反射層１８の端部である外周部を覆う状態とすべく、接着層２０が設けられた保護層２２のシートを貼り合わせる。
【０１０３】
なお、上記の貼り合わせを行う場合、特に接着層２０が設けられた保護層２２を反射層１８上に貼り合わせる場合、接着層２０が設けられていない部分の保護層２２と反射層１８との間に空気等が入り込むのを抑制するために、減圧下で行うことが好ましい。
【０１０４】
このように図１１及び図１２に示した本実施形態の放射線検出器１０によれば、接着層２０が反射層１８の端部である外周部を覆っており、また反射層１８の側面を覆っているため、接着層２０により、反射層１８の特に端部の剥離が抑制される。
【０１０５】
また、本実施形態の放射線検出器１０によれば、接着層２０が変換層１４の上面の全体を覆っていないため、放射線が保護層２２側から照射されて変換層１４に至るまでに接着層２０を透過することによって減衰するのを抑制することができる。
【０１０６】
［第５実施形態］
【０１０７】
次に、第５実施形態について説明する。なお、本実施形態の放射線検出器１０は、粘着層１６及び反射層１８を設ける領域が第３実施形態と同様であり、接着層２０を設ける領域が第４実施形態と略同様である。粘着層１６、反射層１８、及び接着層２０を設ける領域について図面を参照して説明する。
【０１０８】
図１３は、本実施形態の放射線検出器１０を変換層１４が形成された側からみた平面図である。また、図１４は、図１３における放射線検出器１０のＡ−Ａ線断面図である。
【０１０９】
図１３及び図１４に示すように、本実施形態の放射線検出器１０では、粘着層１６及び反射層１８が中央部及び周縁部を含む変換層１４上の領域全体、及び変換層１４の外周近傍のＴＦＴ基板１２上の領域に設けられている。また、本実施形態の放射線検出器１０では、接着層２０が、変換層１４の周縁部近傍のＴＦＴ基板１２から反射層１８（粘着層１６）の外周部に至る領域上に設けられている。
【０１１０】
なお、本実施形態の放射線検出器１０は、例えば、第４実施形態において上述した放射線検出器１０の製造方法と同様の製造方法により製造することができる。
【０１１１】
このように図１３及び図１４に示した本実施形態の放射線検出器１０によれば、第４実施形態の放射線検出器１０と同様に、接着層２０が反射層１８の外周部及び側面を覆っているため、接着層２０により、反射層１８の特に端部の剥離が抑制される。
【０１１２】
また、本実施形態の放射線検出器１０によれば、ＴＦＴ基板１２の上に粘着層１６及び反射層１８が至っているため、反射層１８をＴＦＴ基板１２及び変換層１４に、より安定的に固定することができる。
【０１１３】
また、本実施形態の放射線検出器１０によれば、反射層１８が変換層１４の上面全体を覆っているため、変換層１４からの光が反射しやすくなる。さらに、本実施形態の放射線検出器１０によれば、接着層２０が変換層１４の上面の全体を覆っていないため、放射線が保護層２２側から照射されて変換層１４に至るまでに接着層２０を透過することによって減衰するのを抑制することができる。
【０１１４】
[第６実施形態]
【０１１５】
上記各実施形態では、基材１１の画素領域３５に画素アレイ３１が設けられたＴＦＴ基板１２を備えた放射線検出器１０について説明した。本実施形態では、基材１１を有さない放射線検出器１０について説明する。
【０１１６】
図１５は、本実施形態の放射線検出器１０の一例の断面図を示す。図１５に示すように、本実施形態の放射線検出器１０は、第１実施形態の放射線検出器１０（図２及び図３参照）と同様に、画素アレイ３１、変換層１４、粘着層１６、反射層１８、接着層２０、及び保護層２２を備えている。
【０１１７】
また、図１５に示すように本実施形態の放射線検出器１０は、基材１１（ＴＦＴ基板１２）を備えていない点で、第１実施形態の放射線検出器１０（図３及び図４参照）と異なっている。
【０１１８】
本実施形態の放射線検出器１０は、支持体となる基板６０の上に、剥離層６２を介して画素アレイ３１を設けた後、さらに変換層１４、粘着層１６、反射層１８、接着層２０、及び保護層２２を形成し、その後、剥離層６２により基板６０を剥離することにより製造される。このように製造されるため、本実施形態の放射線検出器１０は、ガラス基板等の基材１１を備えていない。
【０１１９】
基板６０としては、例えば、上記図６を参照して説明した支持体５０と同様に、ガラス基板等を用いることができる。また、剥離層６２としては、画素アレイ３１から基板６０を剥離するためのものであり、熱的方法、光学的方法、及び化学的方法の少なくとも１つの方法により、活性化される有機または無機の材料により形成される。剥離層６２を活性化する方法の具体例としては、エッチングが挙げられる。
【０１２０】
また、本実施形態の放射線検出器１０は、図１６に示した一例のように、画素アレイ３１と変換層１４との間に、バリア層６４等の予め定められた機能を有する他の層を備えていてもよい。図１６に示した放射線検出器１０では、バリア層６４を設けることにより、変換層１４に含まれる蛍光材料が画素アレイ３１に拡散することにより、画素３０が劣化することを抑制できる。また、バリア層６４は、剥離層６２をエッチングにより活性化する場合に、エッチストップとして機能する。このようなバリア層６４としては、窒化シリコン等の無機材料、またはポリイミドまたはＢＣＢ（Benzocyclobutene）等の有機材料を適用することができる。
【０１２１】
この場合、バリア層６４の表面の一部に、接着層２０が、直接固定（接着）されている。これにより、図１６に示した放射線検出器１０によれば、反射層１８の剥離、特に反射層１８の端部の剥離が抑制される。
【０１２２】
また、本実施形態の放射線検出器１０は、画素アレイ３１を挟んで、変換層１４と対向する変換層をさらに備えていてもよい。例えば、図１７に示した一例では、一対の変換層１４、粘着層１６、反射層１８、接着層２０、及び保護層２２が画素アレイ３１及びバリア層６６を挟んで対向した状態に設けられている状態を示している。この場合のバリア層６６としては、上記バリア層６４と同様のものを用いることができる。
【０１２３】
また、例えば、図１８に示した一例では、画素アレイ３１及び粘着層６８を挟み、変換層１４と対向して変換層７４がさらに設けられている状態を示している。この場合の粘着層６８としては、上記粘着層１６と同様のものを用いることができる。また、この場合の変換層７４としては、ＧＯＳ（Ｇｄ２Ｏ２Ｓ：Ｔｂ）等が樹脂等のバインダに分散されたものを適用することができる。
【０１２４】
また、本実施形態の放射線検出器１０は、例えば、図１７に示した放射線検出器１０や図１８に示した放射線検出器１０のように、放射線検出器１０が、対向する２つの変換層を備える場合、変換層同士の間に、各々の変換層に対応する画素アレイ３１を設けてもよい。換言すると、放射線検出器１０は、放射線が照射される面が対向する状態に、２組の画素アレイ３１及び変換層（変換層１４または変換層７４）を備えていてもよい。なお、この場合、変換層同士の間に、画素アレイ３１同士の光学的なクロストークを低減するために、遮光層を設けてもよい。
【０１２５】
このように図１５〜図１８に示した本実施形態の放射線検出器１０では、接着層２０及び保護層２２が、反射層１８の全体（上面全面及び側面）を覆っている。また接着層２０及び保護層２２は、基板６０に固定されている。
【０１２６】
これにより、本実施形態の放射線検出器１０によれば、反射層１８の変換層１４に対する剥離、特に反射層１８の端部の変換層１４に対する剥離が抑制される。なお、本実施形態において反射層１８の端部とは、反射層１８の外周近傍の予め定められた範囲内の領域のことをいう。
【０１２７】
以上説明したように、上記各実施形態の放射線検出器１０は、ＴＦＴ基板１２または基板６０と、放射線から変換された光に応じて発生した電荷を蓄積する複数の画素３０が形成された画素アレイ３１と、放射線を光に変換する変換層１４と、光透過性の粘着層１６と、変換層１４で変換された光を反射する反射層１８と、少なくとも反射層１８の端部からＴＦＴ基板１２または基板６０の表面に至る領域を覆う接着層２０と、がこの順に設けられた部分を有する。画素アレイ３１は、ＴＦＴ基板１２の画素領域３５に、または、剥離層５２を介して基板６０に設けられている。
【０１２８】
このように、上記各実施形態の放射線検出器１０によれば、粘着層１６が有する接着力よりも強い接着力を有する接着層２０で反射層１８の全体もしくは外周部を覆っているため、より強固に、反射層１８の端部を固定することができる。
【０１２９】
従って、上記各実施形態の放射線検出器１０によれば、反射層１８端部の剥離を抑制することができる。
【０１３０】
反射層１８の端部の剥離が抑制されることにより、端部のみならず、反射層１８全体の剥離も抑制される。
【０１３１】
反射層１８が剥離すると、ＴＦＴ基板１２側に光が反射しなくなるため、放射線検出器１０の感度が低下する懸念がある。これに対して、反射層１８の剥離を抑制することにより、感度の低下を抑制することができるため、放射線検出器１０により得られる放射線画像の画質の低下を抑制することができる。
【０１３２】
また、反射層１８が剥離すると剥離した部分から、湿気などの水分が放射線検出器１０の内部に侵入しやすくなる。変換層１４、特にＣｓＩを用いた変換層１４の場合、水分に弱いため、放射線検出器１０の内部に水分が侵入した場合、放射線検出器１０に得られる放射線画像の画質が低下する懸念がある。これに対して、反射層１８の剥離を抑制することにより、水分の侵入を抑制することができるため、放射線検出器１０により得られる放射線画像の画質の低下を抑制することができる。
【０１３３】
また、反射層１８の側面が露出している場合、露出している箇所から湿気等の水分が内部に侵入する懸念があるが、上記各実施形態の放射線検出器１０では、反射層１８の側面が接着層２０及び保護層２２により覆われているため、防湿効果を高めることができる。
【０１３４】
なお、画素アレイ３１（画素領域３５）の大きさは、上記各実施形態に限定されない。例えば、上記各実施形態では、画素アレイ３１（画素領域３５）の大きさが変換層１４の中央部１４Ｂの大きさよりも大きく、画素アレイ３１（画素領域３５）の外周が変換層１４の周縁部１４Ｃに至る形態について説明した。しかしながら、図１９に示した一例のように、画素アレイ３１（画素領域３５）の大きさが変換層１４の中央部１４Ｂの大きさよりも小さく、画素アレイ３１（画素領域３５）の外周が中央部１４Ｂ内にある形態であってもよい。変換層１４で放射線から変換される光量は変換層１４の厚さが薄くなると減少する傾向にあるが、図１９に示した一例の形態では、画素アレイ３１（画素領域３５）上の変換層１４の厚さがほぼ均一となるため、画素領域３５の感度特性が向上する。
【０１３５】
また、例えば、画素アレイ３１（画素領域３５）の大きさは、上記各実施形態の放射線検出器１０よりも大きくてもよい。例えば、上記各実施形態では、画素アレイ３１（画素領域３５）の大きさは、反射層１８が設けられた領域の大きさよりも小さく、画素アレイ３１（画素領域３５）が反射層１８により覆われていたが、図２０に示した一例のように、反射層１８よりも画素アレイ３１（画素領域３５）が大きく、反射層１８により覆われていない画素アレイ３１（画素領域３５）の領域がある形態であってもよい。なお、上記各実施形態の放射線検出器１０のように、反射層１８が画素アレイ３１（画素領域３５）の全体を覆う形態のほうが、図２０に示した放射線検出器１０に比べて、画素アレイ３１（画素領域３５）の外周部に位置する画素３０に応じて得られる放射線画像の画質が向上する。
【０１３６】
また、上記各実施形態の放射線検出器１０で反射層１８が設けられた領域と粘着層１６が設けられた領域が同様（大きさが同じ）である形態について説明したが、この態様に限定されない。例えば、図２１に示した一例のように、粘着層１６の上面全体ではなく、粘着層１６の上面の一部の領域に反射層１８が設けられた形態としてもよい。また、例えば、図２２に示した一例のように、反射層１８が設けられた領域のほうが、粘着層１６が設けられた領域よりも広く（反射層１８のほうが大きく）反射層１８が粘着層１６を覆う形態としてもよい。図２１及び図２２にいずれの形態の放射線検出器１０においても、接着層２０により反射層１８の端部である外周部を覆うことにより、接着層２０により、反射層１８の特に端部の剥離が抑制される。なお、上記各実施形態の放射線検出器１０及び図２１に一例を示した放射線検出器１０のように、反射層１８の下部全体に粘着層１６が設けられているほうが、反射層１８の剥離がより抑制される。
【０１３７】
また、上記各実施形態では、図１に示したように画素３０がマトリクス上に２次元配列されている態様について説明したがこれに限らず、例えば、１次元配列であってもよいし、ハニカム配列であってもよい。また、画素の形状も限定されず、矩形であってもよいし、六角形等の多角形であってもよい。さらに、画素アレイ３１（画素領域３５）の形状も限定されないことはいうまでもない。
【０１３８】
また、変換層１４の形状等も上記各実施形態に限定されない。上記各実施形態では、変換層１４の形状が画素アレイ３１（画素領域３５）の形状と同様に矩形状である態様について説明したが、変換層１４の形状は、画素アレイ３１（画素領域３５）と同様の形状でなくてもよい。また、画素アレイ３１（画素領域３５）の形状が、矩形状ではなく、例えば、その他の多角形であってもよいし、円形であってもよい。
【０１３９】
なお、上記各実施形態では、一例として、放射線検出器１０の変換層１４がＣｓＩを含むシンチレータである形態について説明したが、変換層１４は、ＧＯＳ等が樹脂等のバインダーに分散されたシンチレータであってもよい。ＧＯＳを用いた変換層１４は、例えば、ＴＦＴ基板１２や剥離層６２等の上に、ＧＯＳが分散されたバインダーを直接塗布した後、乾燥させて固化させることにより形成される。変換層１４の形成方法としては、例えば、塗布膜の厚みを制御しながら変換層１４を形成する領域に塗布液を塗布するギーザ法を採用してもよい。なお、この場合、ＧＯＳが分散されたバインダーを塗布する前に、画素アレイ３１の表面を活性化するための表面処理を行ってもよい。また、画素アレイ３１の表面に層間絶縁膜は表面保護膜を設けてもよい。
【０１４０】
画素アレイ３１の表面上に、ＧＯＳを用いた変換層１４を直接塗布すると、端部がだれてしまい、上述したＣｓＩを用いた変換層１４と同様に、変換層１４の端部に傾斜部が生じ、反射層１８の端部が剥離し易くなる。
【０１４１】
これに対して、上述したように、粘着層１６が有する接着力よりも強い接着力を有する接着層２０で反射層１８の全体もしくは外周部を覆うことにより、より強固に、反射層１８の端部を固定することができる。従って、ＧＯＳを用いた変換層１４を有する放射線検出器１０においても、反射層１８端部の剥離を抑制することができる。
【０１４２】
なお、上記各実施形態の放射線検出器１０は、ＴＦＴ基板１２側から放射線が照射される表面読取方式(ＩＳＳ：Irradiation Side Sampling方式)の放射線画像撮影装置に適用してもよいし、変換層１４側から放射線が照射される裏面読取方式（ＰＳＳ：Penetration Side Sampling方式）の放射線画像撮影装置に適用してもよい。
【０１４３】
図２３には、表面読取方式の放射線画像撮影装置１に第１実施形態の放射線検出器１０を適用した状態の一例の断面図を示す。
【０１４４】
図２３に示すように、筐体１２０内には、放射線検出器１０、電源部１０８、及び制御基板１１０が放射線の入射方向と交差する方向に並んで設けられている。放射線検出器１０は、被写体を透過した放射線が照射される筐体１２０の撮影面１２０Ａ側に、画素アレイ３１の変換層１４が設けられていない側が対向する状態に設けられている。
【０１４５】
制御基板１１０は、画素アレイ３１の画素３０から読み出された電荷に応じた画像データを記憶する画像メモリ２１０や画素３０からの電荷の読み出し等を制御する制御部２１２等が形成された基板であり、複数の信号配線を含むフレキシブルケーブル１１２により画素アレイ３１の画素３０と電気的に接続されている。なお、図２３に示した放射線画像撮影装置１では、制御部２１２の制御により画素３０のＴＦＴ３２のスイッチング状態を制御する駆動部１０３、及び画素３０から読み出された電荷に応じた画像データを生成して出力する信号処理部１０４がフレキシブルケーブル１１２上に設けられた、いわゆる、ＣＯＦ（Chip On Film）としているが、駆動部１０３及び信号処理部１０４の少なくとも一方が制御基板１１０に形成されていてもよい。
【０１４６】
また、制御基板１１０は、電源線１１４により、制御基板１１０に形成された画像メモリや２１０や制御部２１２等に電源を供給する電源部１０８と接続されている。
【０１４７】
図２３に示した放射線画像撮影装置１の筐体１２０内には、放射線検出器１０を透過した放射線が出射される側にシート１１６がさらに設けられている。シート１１６としては、例えば、銅製のシートが挙げられる。銅製のシートは入射放射線によって２次放射線を発生し難く、よって、後方、すなわち変換層１４側への散乱を防止する機能を有する。なお、シート１１６は、少なくとも変換層１４の放射線が出射する側の面全体を覆い、また、変換層１４全体を覆うこと好ましい。
【０１４８】
また、図２３に示した放射線画像撮影装置１の筐体１２０内には、放射線が入射される側（撮影面１２０Ａ側）に保護層１１７がさらに設けられている。保護層１１７としては、絶縁性のシート（フィルム）に、アルミ箔を接着させる等してアルミを積層したアルペット（登録商標）のシート、パリレン（登録商標）膜、及びポリエチレンテレフタレート等の絶縁性のシート等の防湿膜が適用できる。保護層１１７は、画素アレイ３１に対する防湿機能及び帯電防止機能を有している。そのため、保護層１１７は、少なくとも画素アレイ３１の放射線が入射される側の面全体を覆うことが好ましく、放射線が入射される側のＴＦＴ基板１２の面全体を覆うことが好ましい。
【０１４９】
なお、図２３では、電源部１０８及び制御基板１１０の両方を放射線検出器１０の一方の側、具体的には、矩形状の画素アレイ３１の一方の辺の側に設けた形態を示したが、電源部１０８及び制御基板１１０を設ける位置は図２５に示した形態に限定されない。例えば、電源部１０８及び制御基板１１０を、画素アレイ３１の対向する２辺の各々に分散させて設けてもよいし、隣接する２辺の各々に分散させて設けてもよい。
【０１５０】
また、図２３には、表面読取方式の放射線画像撮影装置１に第１実施形態の放射線検出器１０を適用した状態の他の例の断面図を示す。
【０１５１】
図２３に示すように、筐体１２０内には、電源部１０８及び制御基板１１０が放射線の入射方向と交差する方向に並んで設けられており、放射線検出器１０と電源部１０８及び制御基板１１０とは放射線の入射方向に並んで設けられている。
【０１５２】
また、図２３に示した放射線画像撮影装置１では、制御基板１１０及び電源部１０８とシート１１６との間に、放射線検出器１０及び制御基板１１０を支持する基台１１８が設けられている。基台１１８には、例えば、カーボン等が用いられる。
【０１５３】
その他、上記各実施形態で説明した放射線検出器１０等の構成や製造方法等は一例であり、本発明の主旨を逸脱しない範囲内において状況に応じて変更可能であることはいうまでもない。
【０１５４】
２０１６年１２月２６日出願の日本国特許出願２０１６−２５１８０３号の開示、及び２０１７年６月２８日出願の日本国特許出願２０１７−１２６６８３号の開示は、その全体が参照により本明細書に取り込まれる。
【０１５５】
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【符号の説明】
【０１５６】
１ 放射線画像撮影装置
１０  放射線検出器
１１ 基材
１２  ＴＦＴ基板
１４  変換層
１４Ａ  柱状結晶
１４Ｂ  中央部
１４Ｃ  周縁部
１６  粘着層
１８  反射層
１９ 積層体
２０  接着層
２２  保護層
３０  画素
３１ 画素アレイ
３２  ＴＦＴ
３４  センサ部
３５  画素領域
３６  信号配線
３８  走査配線
３９  共通配線
５０ 支持体
５２、６２ 剥離層
６０ 基板
６４、６６ バリア層
６８ 粘着層
７４ 変換層
１０３ 駆動部
１０４ 信号処理部
１０８ 電源部
１１０ 制御基板
１１２ フレキシブルケーブル
１１４ 電源線
１１６ シート
１１７ 保護層
１１８ 基台
１２０ 筐体
１２０Ａ 撮影面
２１０ 画像メモリ
２１２ 制御部
θ  傾斜角度
【図１】
2018124134.tif 000003
【図２】
2018124134.tif 000004
【図３】
2018124134.tif 000005
【図４】
2018124134.tif 000006
【図５】
2018124134.tif 000007
【図６】
2018124134.tif 000008
【図７】
2018124134.tif 000009
【図８】
2018124134.tif 000010
【図９】
2018124134.tif 000011
【図１０】
2018124134.tif 000012
【図１１】
2018124134.tif 000013
【図１２】
2018124134.tif 000014
【図１３】
2018124134.tif 000015
【図１４】
2018124134.tif 000016
【図１５】
2018124134.tif 000017
【図１６】
2018124134.tif 000018
【図１７】
2018124134.tif 000019
【図１８】
2018124134.tif 000020
【図１９】
2018124134.tif 000021
【図２０】
2018124134.tif 000022
【図２１】
2018124134.tif 000023
【図２２】
2018124134.tif 000024
【図２３】
2018124134.tif 000025
【図２４】
2018124134.tif 000026
【国際調査報告】
2018124134.tif 000027
2018124134.tif 000028
2018124134.tif 000029
2018124134.tif 000030